(57)【要約】【課題】高電源回路を開閉するリミットスイッチが正確に作動できる電気集塵ユニットを提供することを目的とする。【解決手段】高電源回路を開閉するリミットスイッチ３を設けた保持ユニット４と、この保持ユニット４に装着される集塵ユニット５とを備え、保持ユニット４にリミットスイッチ３の操作レバー６に対向する傾倒自在な折り曲げ弾性体７を設け、集塵ユニット５の装着時にスイッチ操作リブ１１により折り曲げ弾性体７に力を加え、変形した折り曲げ弾性体の反発力により操作レバー６を可動してリミットスイッチ３を作動せしめることにより、リミットスイッチ３の取付位置等にバラツキがあっても、そのバラツキが吸収され、リミットスイッチ３が正確に作動できる電気集塵ユニットが得られる。【選択図】図１
2005169337.tif 000002
【特許請求の範囲】
【請求項１】
空気調和機等の空気流路部分に装着される形状で、高圧電源部を開閉するリミットスイッチを設けた保持ユニットと、この保持ユニットに着脱自在に装着される集塵ユニットを備え、前記保持ユニットに、前記リミットスイッチの操作レバーに対向する傾倒自在な折り曲げ弾性体を設け、前記折り曲げ弾性体を可動するスイッチ操作リブを前記集塵ユニットに設け、前記保持ユニットに、集塵ユニットを装着時に前記折り曲げ弾性体に前記スイッチ操作リブを介して力を加え、変形した折り曲げ弾性体の反発力により、前記操作レバーを可動して前記リミットスイッチを作動せしめる構成とした電気集塵ユニット。
【請求項２】
折り曲げ弾性体をＵ字形状またはＶ字形状に形成した請求項１記載の電気集塵ユニット。
【請求項３】
折り曲げ弾性体を傾倒自在に支持する支持リブを保持ユニットに一体的に形成した請求項１または２記載の電気集塵ユニット。
【請求項４】
スイッチ操作リブに対向する折り曲げ弾性体のリブ側片部の形状をスイッチ操作リブが可動時に挿入される開口部より大きく形成し、前記スイッチ操作リブが開口部より離脱されたときには、前記開口部を前記折り曲げ弾性体のリブ側片部で略覆う構成とした請求項２記載の電気集塵ユニット。
【請求項５】
リミットスイッチの操作レバーに対向する折り曲げ弾性体のレバー側片部の大きさを、リミットスイッチの大きさと略同等に形成した請求項１または２記載の電気集塵ユニット。
【請求項６】
リミットスイッチの操作レバー端部に折り曲げ弾性体を一体的に設けた請求項１記載の電気集塵ユニット。
【請求項７】
折り曲げ弾性体をコイルスプリングにより形成し、前記コイルスプリングの弾性力でリミットスイッチの操作レバーを作動する構成とした請求項１記載の電気集塵ユニット。
【発明の詳細な説明】
【技術分野】
【０００１】
本発明は空気調和機等の空気流路に装着されて使用される電気集塵ユニットに関する。
【背景技術】
【０００２】
従来、この種の電気集塵ユニットの一例としてフィルターに設けた弾性部を変形させて高圧電源装置に対する電源回路を開閉する空気清浄器が知られている（例えば、特許文献１参照）。
【０００３】
以下、その空気清浄器について図１２および図１３を参照しながら説明する。
【０００４】
図に示すように、着脱可能な前面パネル１０１を有する本体１０２と、本体１０２に着脱可能に設けられるプレフィルター１０３と、プレフィルター１０３を通過した空気中の塵埃を除去する高圧電離装置１０４とを備え、プレフィルター１０３に設けられ、本体１０２に装着された状態で前面パネル１０１により押圧されて弾性変形する弾性部１０５と、弾性部１０５の変形状態を検出する検出スイッチ１０６とを設け、検出スイッチ１０６が非検出状態となったときは、高圧電離装置１０４に対する電源を遮断するように構成していた。
【特許文献１】特許第２８５６５８０号公報（［００１６］〜［００１９］、図１、図８）
【発明の開示】
【発明が解決しようとする課題】
【０００５】
このような従来の空気清浄器では、プレフィルター１０３に設けられる弾性部１０５が前面パネル１０１の装着時に押圧されて変形するため、弾性変形した弾性部１０５が検出スイッチ１０６側に作用するものであるが、前面パネル１０１、プレフィルター１０３、および検出スイッチ１０６のそれぞれに取付位置のバラツキがある場合には、検出スイッチ１０６を正確に作動できないという課題があり、スイッチが正確に作動できるようにすることが要求されている。
【０００６】
また、検出スイッチ１０６は、露出状態にあるため塵埃が付着しやすく、スイッチ１０６の作動不良の原因になるという課題があり、スイッチ部分に塵埃が付着しないようにすることが要求されている。
【０００７】
本発明は、上記課題を解決するもので、各部品の取付位置のバラツキや塵埃の多い雰囲気に対して高圧電源部を開閉するスイッチが正確に作動できる電気集塵ユニットを提供することを目的としている。
【課題を解決するための手段】
【０００８】
本発明の電気集塵ユニットは上記目的を達成するために、高圧電源部を開閉するリミットスイッチを設けた保持ユニットと、この保持ユニットに装着される集塵ユニットにより形成し、保持ユニットにリミットスイッチの操作レバーに対向する傾倒自在な折り曲げ弾性体を設け、集塵ユニットを装着時に折り曲げ弾性体に力を加え、変形した折り曲げ弾性体の反発力により操作レバーを可動してリミットスイッチを作動せしめる構成としたものである。
【０００９】
この手段により、リミットスイッチ等の取付位置のバラツキがあっても折り曲げ弾性体の弾性変形による反発力により吸収され、リミットスイッチが正確に作動できる電気集塵ユニットが得られる。
【００１０】
また、他の手段は、折り曲げ弾性体をＵ字形状または、Ｖ字形状にしたものである。
【００１１】
この手段により、Ｕ字形状またはＶ字形状の曲げ部がスイッチ操作リブからの過大な作用力があっても吸収してリミットスイッチの操作を適正に調整できる電気集塵ユニットが得られる。
【００１２】
また、他の手段は、折り曲げ弾性体を傾倒自在に支持する支持リブを保持ユニットに一体的に形成したものである。
【００１３】
この手段により、支持リブに曲げ部を嵌め込むだけで簡単に取り付けることができ、また、支点リブを中心とした操作力の伝達がより確実となる電気集塵ユニットが得られる。
【００１４】
また、他の手段はスイッチ操作リブが対向する折り曲げ弾性体のリブ側片部の形状をスイッチ操作リブが可動時に挿入される開口部より大きく形成し、前記スイッチ操作リブが開口部より離脱されたときには、前記開口部を前記折り曲げ弾性体のリブ側片部で略覆う構成としたものである。
【００１５】
この手段により、集塵ユニットを外したときに、開口部からリミットスイッチ側に粉塵が侵入するのを、折り曲げ弾性体のリブ側片部で開口部の内側を覆うことで防止でき、リミットスイッチが粉塵で汚染されて正確に作動しなくなるのを防止できる電気集塵ユニットが得られる。
【００１６】
また、他の手段は、リミットスイッチの操作レバーに対向する折り曲げ弾性体のレバー側片部の大きさをリミットスイッチの大きさと略同等に形成したものである。
【００１７】
この手段により、折り曲げ弾性体のリブ側片部より内側に粉塵が侵入した場合でも、折り曲げ弾性体のレバー側片部によりリミットスイッチ側に粉塵が侵入するのを防止できる電気集塵ユニットが得られる。
【００１８】
また、他の手段は、リミットスイッチの操作レバー端部に折り曲げ弾性体を一体的に設けたものである。
【００１９】
この手段により、リミットスイッチと折り曲げ弾性体を一体化することができ、組立作業や部品管理が容易となる電気集塵ユニットが得られる。
【００２０】
また、他の手段は、折り曲げ弾性体をコイルスプリングにより形成し、前記コイルスプリングの弾性力でリミットスイッチの操作レバーを作動する構成としたものである。
【００２１】
この手段により、スイッチ操作リブからの過大な作用力があっても吸収してリミットスイッチの操作を適正に調整できるとともに、省スペースの取付が可能となる電気集塵ユニットが得られる。
【発明の効果】
【００２２】
本発明によれば、部品取付位置のバラツキがあっても折り曲げ弾性体の働きにより、高電源回路を開閉するリミットスイッチが正確に作動できる電気集塵ユニットを提供できる。
【００２３】
また、スイッチ操作部からの伝達力の急激な変動に対して滑らかな力の変化となり、リミットスイッチへの負荷変動を軽減して、正確なスイッチ操作が行なえる。
【００２４】
また、組立作業が容易であり、支点を中心として操作力の伝達がより確実となる。
【００２５】
また、本発明によれば、リミットスイッチへの塵埃の侵入を防止できる電気集塵ユニットが提供できる。
【発明を実施するための最良の形態】
【００２６】
本発明の請求項１記載の発明は、空気調和機等の空気流路部分に装着される形状で、高圧電源部を開閉するリミットスイッチを設けた保持ユニットと、この保持ユニットに着脱自在に装着される集塵ユニットを備え、前記保持ユニットに、前記リミットスイッチの操作レバーに対向する傾倒自在な折り曲げ弾性体を設け、前記折り曲げ弾性体を可動するスイッチ操作リブを前記集塵ユニットに設け、前記保持ユニットに集塵ユニットを装着時に前記折り曲げ弾性体に、前記スイッチ操作リブの力を加え、変形した折り曲げ弾性体の反発力により、前記操作レバーを可動して前記リミットスイッチを作動せしめる構成としたものであり、リミットスイッチの取付位置およびスイッチ操作リブの位置にバラツキがあっても折り曲げ弾性体の弾性変形による反発力により吸収され、リミットスイッチが正確に作動できるという作用を有する。
【００２７】
また、請求項２記載の発明は、折り曲げ弾性体をＵ字形状またはＶ字形状に形成したものであり、Ｕ字形状またはＶ字形状の曲げ部がスイッチ操作リブからの過大な作用力があっても吸収してリミットスイッチの操作を適正に調整できるという作用を有する。
【００２８】
また、請求項３記載の発明は、折り曲げ弾性体を傾倒自在に支持する支持リブを保持ユニットに一体的に形成したものであり、支持リブに曲げ部を嵌め込むだけで簡単に取り付けることができ、さらに支点リブを中心とした操作力の伝達がより確実となる作用を有する。
【００２９】
また、請求項４記載の発明は、スイッチ操作リブに対向する折り曲げ弾性体のリブ側片部の形状をスイッチ操作リブが可動時に挿入される開口部より大きく形成し、前記スイッチ操作リブが開口部より離脱されたときには、前記開口部を前記折り曲げ弾性体のリブ側片部で略覆う構成としたものであり、集塵ユニットを外したときに、開口部からリミットスイッチ側に粉塵が侵入するのを、折り曲げ弾性体のリブ側片部で開口部の内側を覆うことで防止でき、リミットスイッチが粉塵で汚染されて正確に作動しなくなるのを防止できる作用を有する。
【００３０】
また、請求項５記載の発明は、リミットスイッチの操作レバーに対向する折り曲げ弾性体のレバー側片部の大きさを、リミットスイッチの大きさと略同等に形成したものであり、折り曲げ弾性体のリブ側片部より内側に粉塵が侵入した場合でも、折り曲げ弾性体のレバー側片部によりリミットスイッチ側に粉塵が侵入するのを防止できる作用を有する。
【００３１】
また、請求項６記載の発明は、リミットスイッチの操作レバー端部に折り曲げ弾性体を一体的に設けたものであり、リミットスイッチと折り曲げ弾性体を一体化することができ、組立作業や部品管理が容易となる作用を有する。
【００３２】
また、請求項７記載の発明は、折り曲げ弾性体をコイルスプリングにより形成し、前記コイルスプリングの弾性力でリミットスイッチの操作レバーを作動するものであり、スイッチ操作リブからの過大な作用力があっても吸収してリミットスイッチの操作を適正に調整できるとともに、省スペースの取付けが可能となる作用を有する。
【００３３】
以下、本発明の実施の形態について図面を参照にしながら説明する。
【００３４】
（実施の形態１）
図１〜図５に示すように、空気調和機等の空気流路部分に保持ユニット４を装着し、保持ユニット４に着脱自在に装着される集塵ユニットを設ける。
【００３５】
保持ユニット４に設けた高圧電源部１を開閉するリミットスイッチ３を設け、リミットスイッチ３の操作レバー６に対向するようにＵ字形状に折り曲げ形成した折り曲げ弾性体７を設け、この曲げ部８が係合する支持リブ９を保持ユニット４に設ける。折り曲げ弾性体７を曲げ部８を介して保持ユニット４の支持リブ９に嵌めて傾倒自在に設ける。集塵ユニット５にスイッチ操作リブ１１を設け、このスイッチ操作リブ１１は集塵ユニット５を保持ユニット４に装着時に保持ユニット４に設けた開口部１０から折り曲げ弾性体７に向かい突出する。スイッチ操作リブ１１が折り曲げ弾性体７のリブ側片部１２を押圧して折り曲げ弾性体７を傾倒するときに、折り曲げ弾性体７のレバー側片部１３はリミットスイッチ３の操作レバー６を押す方向に傾倒する構成としている。
【００３６】
上記構成において、空気調和機等の空気流路部分に、保持ユニット４を取り付けたのち、保持ユニット４に形成した保持部１４の内側に集塵ユニット５を下方から上方に移動するようにして保持ユニット４に装着する。このとき、集塵ユニット５に設けたスイッチ操作リブ１１が保持ユニット４に設けた開口部１０内に挿入され、スイッチ操作リブ１１が折り曲げ弾性体７のリブ側片部１２が押圧される。折り曲げ弾性体７は支持リブ９に傾倒自在に設けられて曲げ部８を介して傾倒し、折り曲げ弾性体７は内側に向け圧縮され、圧縮されたことにより外方に開き勝手の反発力が作用し、折り曲げ弾性体７のレバー側片部１３がリミットスイッチ３の操作レバー６を圧してリミットスイッチ３を作動し、高圧電源部１に通電され、集塵ユニット５に高圧電源が印加されて、集塵が行なわれる。
【００３７】
このことにより、リミットスイッチ３の取付位置およびスイッチ操作リブ１１の位置にバラツキがあっても折り曲げ弾性体７の弾性変形による反発力により吸収され、リミットスイッチ３が正確に作動される。
【００３８】
また、折り曲げ弾性体７をＵ字形状とすることによりスイッチ操作リブ１１からの過大な作用力があっても吸収してリミットスイッチ３の操作レバー６の操作を適正に調整できることとなる。
【００３９】
また、保持ユニット４に設けた支持リブ９に曲げ部８を嵌め込むだけで簡単に取り付けることができ、また、支持リブ９を中心とした操作力の伝達がより確実となることとなる。
【００４０】
なお、実施の形態１では折り曲げ弾性体７の形状を図５に示すようにＶ字形状にしても同様の作用効果をもたらすものである。
【００４１】
（実施の形態２）
図６および図７に示すように、スイッチ操作リブ１１Ａが対向する折り曲げ弾性体７Ａのリブ側片部１２Ａの形状をスイッチ操作リブ１１Ａが可動時に挿入される開口部１０Ａより大きく形成し、スイッチ操作リブ１１Ａが開口部１０Ａより離脱したときには開口部１０Ａを折り曲げ弾性体７Ａのリブ側片部１２Ａで略覆う構成とする。
【００４２】
上記構成において、保持ユニット４Ａに集塵ユニット５Ａが装着されたときには保持ユニット４Ａに設けた開口部１０Ａに集塵ユニット５Ａに設けたスイッチ操作リブ１１Ａが挿入され、開口部１０Ａはスイッチ操作リブ１１Ａが挿入されることにより塞ぐことができる。
【００４３】
また、保持ユニット４Ａから集塵ユニット５Ａを取り外したときには、開口部１０Ａより大きく形成されている折り曲げ弾性体７Ａのリブ側片部１２Ａが開口部１０Ａに対向することにより開口部１０Ａの開口が略覆われ開口部１０Ａからリミットスイッチ３Ａ側への粉塵の侵入を少なく抑えることができる。従ってリミットスイッチ３Ａの周囲が汚染されることが少なく、リミットスイッチ動作の信頼性を高めることができる。
【００４４】
（実施の形態３）
図８に示すように、リミットスイッチ３Ｂの操作レバー６Ｂに対向する折り曲げ弾性体７Ｂのレバー側片部１３Ａの大きさを、リミットスイッチ３Ｂの大きさと略同等に形成し構成する。
【００４５】
上記構成において、粉塵が折り曲げ弾性体７Ｂのリブ側片部１２Ｂの内側に侵入したとしても、リミットスイッチ３Ｂの大きさと略同等の大きさに形成されているレバー側片部１３Ａにより受け止められ、リミットスイッチ３Ｂ側に粉塵が侵入するのを防止でき、リミットスイッチ３Ｂおよび操作レバー６Ｂの汚染を防ぐことにより、リミットスイッチ３Ｂを正確に作動することができる。
【００４６】
（実施の形態４）
図９および図１０に示すように、リミットスイッチ３Ｃの操作レバー６Ｃの端部に折り曲げ弾性体７Ｃを嵌め込むように一体的に設け構成する。
【００４７】
上記構成において、折り曲げ弾性体７Ｃがスイッチ操作リブ（図示せず）により押圧されて変形すると、変形したことにより折り曲げ弾性体７Ｃに反発力が作用し、その反発力は、折り曲げ弾性体７Ｃを一体的に設けている操作レバー６Ｃに作用し、ガタツキなく操作力が効率良く伝わり、リミットスイッチ３Ｃを作動することとなる。また、リミットスイッチ３Ｃと折り曲げ弾性体７Ｃを一体化することにより、組立作業が楽になるとともに、部品点数を削減して部品管理が容易となる。
【００４８】
（実施の形態５）
図１１に示すように、リミットスイッチ３Ｄに支持部１５を設け、この支持部１５に折り曲げ弾性体としてのコイルスプリング１７を伸縮可能に挿入し、このコイルスプリング１７の先端に、スイッチ操作リブ（図示せず）に押圧される押圧部１６を設ける。
【００４９】
コイルスプリング１７の他端をリミットスイッチ３Ｄの操作レバー６Ｄに当接させ、コイルスプリング１７の弾性力でリミットスイッチ３Ｄの操作レバー６Ｄを作動する構成とする。
【００５０】
上記構成において、スイッチ操作リブによりコイルスプリング１７の一端に設けた押圧部１６が押圧されると、その押圧力によりコイルスプリング１７が圧縮して反発力が生じ、この反発力によりリミットスイッチ３Ｄの操作レバー６Ｄが可動してリミットスイッチ３Ｄが作動することとなり、リミットスイッチ３Ｄのスイッチ操作リブの位置との間にバラツキがあっても吸収し、正確にリミットスイッチ３Ｄを操作することができる。また、コイルスプリング１７という小形の部材を使用することにより、省スペースの取り付けが可能となる。
【産業上の利用可能性】
【００５１】
折り曲げ弾性体は位置関係のバラツキや過大な力を吸収することができるので、一方の部材に加わった力を他の部材に正確にかつ衝撃力などを調整しつつ伝達することが可能となるので、操作力の伝達における寸法のバラツキ調整と精密部品の耐久性維持の用途に使用できる。
【図面の簡単な説明】
【００５２】
【図１】本発明の実施の形態１の電気集塵ユニットのスイッチの作動時の状態を示す部分図
【図２】（イ）同電気集塵ユニットのスイッチの作動前の状態を示す部分図（ロ）同支持リブを示すＡ−Ａ断面図
【図３】同保持ユニットと集塵ユニットを分離した状態を示す正面図
【図４】同電気集塵ユニットの正面図
【図５】同電気集塵ユニットの他の例の作動前の状態を示す部分図
【図６】（イ）本発明の実施の形態２の電気集塵ユニットのスイッチの作動前の状態を示す部分図（ロ）同Ｂ矢視の開口部とリブ側片部の大きさを示す部分図
【図７】同電気集塵ユニットのスイッチの作動時の状態を示す部分図
【図８】本発明の実施の形態３の電気集塵ユニットのスイッチの作動前の状態を示す部分図
【図９】本発明の実施の形態４の電気集塵ユニットのスイッチの組立状態を示す正面図
【図１０】同電気集塵ユニットのスイッチの作動前の状態を示す部分図
【図１１】本発明の実施の形態５の電気集塵ユニットのスイッチ作動前の状態を示す部分図
【図１２】従来の空気清浄器の断面図
【図１３】同空気清浄器の弾性部を設けたプレフィルターの斜視図
【符号の説明】
【００５３】
１  高圧電源部
２  アース端子
３  リミットスイッチ
３Ｂ  リミットスイッチ
３Ｃ  リミットスイッチ
３Ｄ  リミットスイッチ
４  保持ユニット
５  集塵ユニット
６  操作レバー
６Ｂ  操作レバー
６Ｃ  操作レバー
６Ｄ  操作レバー
７  折り曲げ弾性体
７Ａ  折り曲げ弾性体
７Ｂ  折り曲げ弾性体
７Ｃ  折り曲げ弾性体
９  支持リブ
１０  開口部
１０Ａ  開口部
１１  スイッチ操作リブ
１１Ａ  スイッチ操作リブ
１２Ａ  リブ側片部
１３Ａ  レバー側片部
１７  コイルスプリング
【図１】
2005169337.tif 000003
【図２】
2005169337.tif 000004
【図３】
2005169337.tif 000005
【図４】
2005169337.tif 000006
【図５】
2005169337.tif 000007
【図６】
2005169337.tif 000008
【図７】
2005169337.tif 000009
【図８】
2005169337.tif 000010
【図９】
2005169337.tif 000011
【図１０】
2005169337.tif 000012
【図１１】
2005169337.tif 000013
【図１２】
2005169337.tif 000014
【図１３】
2005169337.tif 000015